(57)【特許請求の範囲】
【請求項１】
下記一般式（１）、（１’）または（１”）で示されるシランカップリング剤または／および前記シランカップリング剤の反応物を含み、
封止剤の１ｇを１００℃で６０分間加熱することにより発生する揮発成分中の１級アルコール量が、１０μｇ以下である、封止剤。
【化１】
0005449176.tif 000016
（一般式（１）、（１’）または（１”）において、
Ｒ１〜Ｒ３は、それぞれ独立して下記一般式（２）で示される基を示し、
Ｒ４、Ｒ４’およびＲ４”は、それぞれオキシ基以外の一価の有機基を示し、
ｎは１以上の整数を示し、ｎが２以上の場合に、２以上存在するＲ２、Ｒ４およびＲ４’は、互いに同一であっても異なっていてもよい）
【化２】
0005449176.tif 000017
（一般式（２）において、
Ｒ５は、水素原子または炭化水素基を示し、
Ｒ６およびＲ７は、それぞれ独立して炭化水素基を示す）
【請求項２】
前記１級アルコールは１気圧における沸点が１２０℃以下である、請求項１に記載の封止剤。
【請求項３】
イソシアネート化合物をさらに含む、請求項１または２に記載の封止剤。
【請求項４】
エポキシ樹脂をさらに含み、Ｒ４、Ｒ４’またはＲ４”が、それぞれ独立にエポキシ基、アミノ基、アクリル基、イソシアネート基のいずれかの有機基を有する、請求項１〜３のいずれか一項に記載の封止剤。
【請求項５】
硬化性樹脂または／および熱可塑性樹脂をさらに含む、請求項１〜４のいずれか一項に記載の封止剤。
【請求項６】
前記硬化性樹脂または／および熱可塑性樹脂１００質量部に対して、０．１〜１０質量部の前記シランカップリング剤または／およびシランカップリング剤の反応物を含む、請求項５に記載の封止剤。
【請求項７】
前記硬化性樹脂が熱硬化性樹脂である、請求項５または６に記載の封止剤。
【請求項８】
前記熱硬化性樹脂がエポキシ樹脂である、請求項７に記載の封止剤。
【請求項９】
酸無水物および硬化促進剤をさらに含む、請求項１〜８のいずれか一項に記載の封止剤。
【請求項１０】
前記エポキシ樹脂１００質量部に対して、０．１〜１０質量部の前記シランカップリング剤または／およびシランカップリング剤の反応物を含み、
前記酸無水物および前記硬化促進剤は、それぞれ酸無水基／エポキシ基の当量比が０．８〜１．２であり、硬化促進剤の活性官能基／エポキシ基の当量比が０．００８〜０．１５２である、請求項９に記載の封止剤。
【請求項１１】
請求項１〜１０のいずれか一項に記載の封止剤の重合物または硬化物を含む、封止部材。
【請求項１２】
基板上に有機ＥＬ素子を形成する第１の工程と、
前記有機ＥＬ素子に請求項１〜１０のいずれか一項に記載の封止剤を密着させる第２の工程と、
前記封止剤を硬化させて封止部材を形成する第３の工程と、
を含む、有機ＥＬデバイスの製造方法。
【請求項１３】
前記第２の工程が、熱ラミネート法で行われる、請求項１２に記載の有機ＥＬデバイスの製造方法。
【請求項１４】
有機ＥＬ素子と、前記有機ＥＬ素子と接する請求項１〜１０のいずれか一項に記載の封止剤の硬化物と、を含む有機ＥＬデバイス。
【請求項１５】
請求項１１に記載の封止部材を含む有機ＥＬデバイス。
【請求項１６】
請求項１４または１５に記載の有機ＥＬデバイスを具備する有機ＥＬディスプレイパネル。
【請求項１７】
シランカップリング剤または／および前記シランカップリング剤の反応物を含み、
封止剤の１ｇを１００℃で６０分間加熱することにより発生する揮発成分中の１級アルコール量が、１０μｇ以下であり、
前記シランカップリング剤は、１級アルコキシ基を含まないアルコキシシランである、封止剤。
【発明の詳細な説明】
【技術分野】
【０００１】
本発明は、封止剤および封止部材、ならびにそれらで封止された有機ＥＬデバイスに関する。
【背景技術】
【０００２】
近年、盛んに開発が進む有機電界発光素子は、水分によって極めて劣化しやすいことが知られている。たとえば、水分によって発光層と電極層との間に剥離が生じたり、発光材料が変質してダークスポットと称される非発光領域が生じたり、発光そのものが維持できなくなったりする。そのため、気密ケースや封止部材を基板に密着固定して、有機ＥＬ素子を外部と遮断することにより保護する技術が知られている（例えば、特許文献１〜３を参照）。【０００３】
しかしながら依然として、駆動時間の経過に伴い、発光輝度が低下したり、ダークスポットが発生したりして、素子として十分に機能しなくなる場合がある。この一因として封止部材自体からガスが発生し、そのガスが素子を劣化させることが懸念されている。そこで、炭化水素ガスやシロキサンガスなどの発生を抑制した封止部材が提案されている（特許文献４を参照）。【０００４】
一方、有機電界発光素子の市場開発に伴い、封止部材には更なる高耐熱性、硬化時における低収縮性、透明性、透湿性が求められている。これらの要求を満たすため、フィラーやシランカップリング剤を添加した封止剤が開発されている。
【先行技術文献】
【特許文献】
【０００５】
【特許文献１】特開平５−３６４７５号公報
【特許文献２】特開平５−８９９５９号公報
【特許文献３】特開平７−１６９５６７号公報
【特許文献４】特開平１１−７４０７４号公報
【発明の概要】
【発明が解決しようとする課題】
【０００６】
本発明の目的は、有機電界発光素子の経時劣化を抑制し、初期性能を維持することである。本発明者は、有機電界発光素子の経時劣化の主要原因の一つが、素子内部に生じるガスのうちの１級アルコールであることを見出した。そして１級アルコールの主な発生源が、有機電界発光素子の封止部材であることを見出した。また特に、封止剤に含まれるシランカップリング剤に原因があることを見出した。【０００７】
そこで本発明は、有機ＥＬデバイスの封止部材において、有機シロキサン化合物を含むにも関わらず、１級アルコール濃度が極めて低い封止部材を提供する。それにより、封止部材を有する有機電界発光素子の劣化を抑え、長寿命化を達成することを目的とする。また本発明は、そのような封止部材を提供するための封止剤、つまり、一級アルコールの発生を抑制した封止剤や、発生した一級アルコールを吸収したり、一級アルコールを反応させて一級アルコール以外の物質に変化させたりすることができる封止剤を提供する。
【課題を解決するための手段】
【０００８】
すなわち本発明の第一は、封止剤に関する。
［１］  封止剤の１ｇを１００℃で６０分間加熱することにより発生する１級アルコール量が１０μｇ以下である、封止剤。
［２］  シランカップリング剤または／およびシランカップリング剤の反応物を含む、［１］に記載の封止剤。
［３］  前記１級アルコールは１気圧における沸点が１２０℃以下である、［１］に記載の封止剤。【０００９】
［４］  前記シランカップリング剤が、下記一般式（１）、（１’）または（１”）で示される、［２］に記載の封止剤。
【化１】
0005449176.tif 000002
（一般式（１）、（１’）または（１”）において、Ｒ１〜Ｒ３は、それぞれ独立して下記一般式（２）で示される基を示し；Ｒ４、Ｒ４’およびＲ４”は、それぞれオキシ基以外の一価の有機基を示し；ｎは１以上の整数を示し、ｎが２以上の場合に、２以上存在するＲ２、Ｒ４およびＲ４’は、互いに同一であっても異なっていてもよい）
【化２】
0005449176.tif 000003
（一般式（２）において、Ｒ５は、水素原子または炭化水素基を示し；Ｒ６およびＲ７は、それぞれ独立して炭化水素基を示す）
［５］エポキシ樹脂をさらに含み、Ｒ４、Ｒ４’またはＲ４”が、それぞれ独立にエポキシ基、アミノ基、アクリル基、イソシアネート基のいずれかの有機基を有する、［４］に記載の封止剤。【００１０】
［６］  アルコールを吸着もしくはアルコールと反応する化合物をさらに含み、
前記シランカップリング剤が、下記一般式（３）、（３’）または（３”）で示される、［２］に記載の封止剤。
【化３】
0005449176.tif 000004
（一般式（３）、（３’）または（３”）において、Ｒ１１〜Ｒ１３は、それぞれ独立して一価の有機基であるが、Ｒ１１〜Ｒ１３のうち一つ以上は一般式（４）で示される基であり；Ｒ１４、Ｒ１４’およびＲ１４”は、それぞれオキシ基以外の一価の有機基を示し；ｎは１以上の整数を示し、ｎが２以上の場合に、２以上存在するＲ１２、Ｒ１４およびＲ１４’は、互いに同一であっても異なっていてもよい）
【化４】
0005449176.tif 000005
（一般式（４）において、Ｒ１５は水素原子または炭化水素基を示す）
［７］  前記アルコールを吸着もしくはアルコールと反応する化合物は、イソシアネート化合物である、［６］に記載の封止剤。【００１１】
［８］  硬化性樹脂または／および熱可塑性樹脂をさらに含む、［１］に記載の封止剤。
［９］  前記硬化性樹脂または／および熱可塑性樹脂１００質量部に対して、０．１〜１０質量部のシランカップリング剤および／またはシランカップリング剤の反応物を含む、［８］に記載の封止剤。
［１０］  前記硬化性樹脂が熱硬化性樹脂である、［９］に記載の封止剤。
［１１］  前記熱硬化性樹脂がエポキシ樹脂である、［１０］に記載の封止剤。
［１２］  酸無水物および硬化促進剤をさらに含む、［１１］に記載の封止剤。
［１３］  前記エポキシ樹脂１００質量部に対して、０．１〜１０質量部のシランカップリング剤および／またはシランカップリング剤の反応物を含み、
前記酸無水物および前記硬化促進剤は、それぞれ酸無水基／エポキシ基の当量比が０．８〜１．２であり、硬化促進剤の活性官能基／エポキシ基の当量比が０．００８〜０．１５２である、［１２］に記載の封止剤。【００１２】
本発明の第二は、封止部材に関する。
［１４］  シランカップリング剤および／またはシランカップリング剤の反応物を含む封止剤の重合物または硬化物を含む封止部材であって、前記封止剤の１ｇを１００℃で６０分間加熱することにより発生する１級アルコール量が１０μｇ以下である、封止部材。
［１５］  前記１級アルコールは、１気圧における沸点が１２０℃以下である、［１４］に記載の封止部材。【００１３】
本発明の第三は、有機ＥＬデバイス、およびその製造方法などに関する。
［１６］  基板上に有機ＥＬ素子を形成する第１の工程と；前記有機ＥＬ素子に［１］に記載の封止剤を密着させる第２の工程と；前記封止剤を硬化させて封止部材を形成する第３の工程と、を含む、有機ＥＬデバイスの製造方法。
［１７］  前記第２の工程が、熱ラミネート法で行われる、［１６］に記載の有機ＥＬデバイスの製造方法。
［１８］  有機ＥＬ素子と、前記有機ＥＬ素子と接する［１］に記載の封止剤の硬化物と、を含む有機ＥＬデバイス。
［１９］  ［１４］に記載の封止部材を含む有機ＥＬデバイス。
［２０］  ［１８］または［１９］に記載の有機ＥＬデバイスを具備する有機ＥＬディスプレイパネル。
【発明の効果】
【００１４】
本発明の封止剤により、封止性が高く、かつ高寿命な有機ＥＬデバイスが提供される。
【図面の簡単な説明】
【００１５】
【図１】シランカップリング剤を含む封止剤による接着強度の経時的変化を示すグラフである。
【図２】実施例での有機電界発光素子の発光状態を評価する手法を説明する図である。
【図３】有機電界発光素子の発光状態を示す写真である。
【発明を実施するための形態】
【００１６】
１．本発明の封止剤
本発明の封止剤は、加熱によって発生する１級アルコール量が低減されていることを特徴とする。具体的には、本発明の封止剤１ｇを、１００℃で６０分間加熱することにより発生する１級アルコール量が１０μｇ以下であることが好ましく、５μｇ以下であることがより好ましい。加熱によって発生する１級アルコール量は、ヘッドスペースＧＣ−ＭＳ法によって測定されうる。
【００１７】
ヘッドスペースＧＣ−ＭＳ法とは、試料を封入した試料ビンを一定温度で加熱して、試料から揮発成分を発生させて平衡状態として；その後、その揮発成分をガスクロマトグラフ−質量分析計（ＧＣ−ＭＳ）に導入して、目的成分を分析する手法である。
【００１８】
測定試料をヘッドスペースサンプラーで、１００℃、６０分間加熱し、発生するアウトガス成分をＧＣ/ＭＳ法により定性する。アウトガス発生量の定量は、ＧＣ法を用いてトルエンにて換算定量を行うことができる。
【００１９】
さらに具体的には、例えば以下の条件で行えばよい。
（１）ヘッドスペースサンプラー測定条件（機種；ＨＰ７６９４）
バイアル容量:１０ｍｌ  ループ容量:１ｍｌ  Oven Temp:１００℃
Loop Temp:１５０℃  TR LINE Temp:１５０℃  Gc Cycle Time:５０分
VIALEQ Time:３０分  Pressuriz Time:０.１３分  Loop Fill Time:０.１５分
Loop EQ Time:０.１５分  Inject Time:1０.３分  
バイアル加圧:６９Ｋｐａ(ＡＵＸ５)
（２）ＧＣ測定条件（機種：ＨＰ６８９０(ＦＩＤ)）
カラム:ＤＢ−ＷＡＸ  １２２-７０６３
内径:０.２５ｍｍ  長さ:６０ｍ  膜厚:０.５μｍ
温度:カラム４０℃  １分保持→２３０℃（１０℃/分）１５分保持
注入口２５０℃  検出器２５０℃
キヤリアーガス:ヘリウム  初期流量１.８１ｍ１/分  設定圧力２０２ｋＰａ
平均線速度３０ｃｍ/秒  スプリット比１０:１
検出器:水素４０ｍl/分  空気４５０ｍ１/ｍｉｎ
メークアップ＋カラム合計５０ｍｌ/分
（３）ＧＣ−ＭＳ測定条件（機種：ＨＰ６８９０-ＨＰ５９７３(ＭＳＤ)）
カラム、温度条件：前項のＧＣ法とほぼ同条件
トータルイオンクロマトグラム(ＴＩＣ)：ｍ/ｚ＝１０〜５５０
ライブラリー検索データ:ＮＢＳ７５０００件
【００２０】
また、本発明の封止剤における１級アルコールの濃度は、５０質量ｐｐｍ以下であることが好ましく、１０質量ｐｐｍ以下であることがより好ましい。封止剤における１級アルコールの濃度は、１３Ｃ−ＮＭＲによって測定すればよい。
【００２１】
このように、本発明の封止剤は、加熱によって発生する１級アルコール量や、１級アルコール濃度を低減されていることを特徴とするが、この１級アルコールとは、１気圧における沸点（ｂｐ）が１２０℃以下のアルコールでありうる。１２０℃以下のアルコールとは、メタノール（６５℃）、エタノール（７８℃）、１-プロパノール（９７℃）、１-ブタノール（１１７℃）などが含まれる。
【００２２】
本発明の封止剤は、シランカップリング剤およびシランカップリング剤の反応物の一方または両方を含有する。シランカップリング剤は、アルコキシシランであることが好ましい。シランカップリング剤の反応物とは、アルコキシシランの加水分解物や脱水縮合物などをいう。以下において、シランカップリング剤およびシランカップリング剤の反応物を、シランカップリング剤と総称する。
【００２３】
シランカップリング剤は、封止しようとする基材と封止剤との接着性を高めることができる。接着性を高めるには、封止剤に含まれるシランカップリング剤の含有量を、封止剤を構成する樹脂１００質量部に対して、０．１〜１０質量部とすることが好ましい。
【００２４】
シランカップリング剤を構成するアルコキシシランのＳｉ元素上には、１つ、２つまたは３つのオキシ基以外の有機基が結合していることが好ましい。オキシ基以外の有機基は、エポキシ基、アミノ基、アクリル基、またはイソシアネート基を含有していることが好ましい。これらは、封止剤に含まれる他の成分（樹脂成分）と反応することができる。
【００２５】
本発明の封止剤に含まれるシランカップリング剤であるアルコキシシランのアルコキシ基は、１級アルコキシ基であっても、２級アルコキシ基であっても、３級アルコキシ基であってもよいが、１級アルコキシ基を有するシランカップリング剤は、１級アルコールの発生源となりうる。
【００２６】
従って、本発明の封止剤に含まれるシランカップリング剤の第１の態様は、１級アルコキシ基を有さず、２級アルコキシ基または３級アルコキシ基を有するアルコキシシランである。一方、本発明の封止剤に含まれるシランカップリング剤の第２の態様は、１級アルコキシ基を有するアルコキシシランであるが；その場合には、本発明の封止剤には、アルコールを吸収したり、アルコールを反応させて他の物質とする成分をも含まれることが好ましい。
【００２７】
前記の通り、本発明の封止剤に含まれるシランカップリング剤の第１の態様は、１級アルコキシ基を有さないアルコキシシランであるが、例えば以下の一般式（１）、（１’）または（１”）で示される。
【００２８】
【化５】
0005449176.tif 000006
【化６】
0005449176.tif 000007
【００２９】
一般式（１）、（１’）または（１”）において、Ｒ１〜Ｒ３はそれぞれ、独立して下記一般式（２）で示される基を示す。一般式（２）におけるＲ５は、水素原子または炭化水素基を示す。一般式（２）におけるＲ６およびＲ７はそれぞれ炭化水素基を示す。Ｒ５〜Ｒ７が示す炭化水素基は、炭素数１〜４のアルキル基であることが好ましい。
【００３０】
一般式（１）、（１’）または（１”）で示されるシランカップリング剤は、加水分解により、Ｒ１ＯＨ、Ｒ２ＯＨ、またはＲ３ＯＨを発生させるが、いずれも２級アルコールまたは３級アルコールであり、１級アルコールではない。
【００３１】
Ｒ４、Ｒ４’およびＲ４”は、それぞれ一価の有機基を示すが、ただしオキシ基ではなく、加水分解によりアルコールを発生させることはない。さらにＲ４、Ｒ４’およびＲ４”は、それぞれ有機官能基を有していてもよい。ここで有機官能基とは、封止剤に含まれる樹脂成分と反応しうる官能基であることが好ましい。シランカップリング剤と封止材に含まれる樹脂成分とが反応によって結合すると、基材と封止材の接着性をより高めることができるからである。また、上記結合によってシランカップリング剤が封止剤から析出することを防ぐこともできる。したがって、封止剤にエポキシ樹脂が含まれている場合は、Ｒ４、Ｒ４’またはＲ４”は、エポキシ基、アミノ基、アクリル基、イソシアネート基またはヒドロキシル基などを有していることが好ましい。また、封止剤にビニル基を有する樹脂が含まれている場合には、Ｒ４、Ｒ４’またはＲ４”がビニル基を有していることが好ましい。
【００３２】
ｎは１以上の整数を示すが、通常は１〜５であることが好ましい。ｎが２以上の場合に、２以上存在するＲ２、Ｒ４およびＲ４’は、互いに同一であっても異なっていてもよい。
【００３３】
１級アルコキシ基を有さないアルコキシシランの例には、３-グリシドキシプロピルトリイソプロポキシシラン、３-グリシドキシプロピルトリ２-ブトキシシシラン、３-グリシドキシプロピルトリｔ-ブトキシシラン、３-グリシドキシプロピルメチルジイソプロポキシシラン、３-グリシドキシプロピルメチルジ２-ブトキシシラン、３-グリシドキシプロピルメチルジｔ-ブトキシシラン、２-（３,４-エポキシシクロヘキシル）エチルトリイソプロポキシシラン、２-（３,４-エポキシシクロヘキシル）エチルトリ２-ブトキシシラン、２-（３,４-エポキシシクロヘキシル）エチルトリｔ-ブトキシシラン、Ｎ-フェニル-γ-アミノプロピルトリイソプロポキシシラン、Ｎ-フェニル-γ-アミノプロピルトリ２-ブトキシシラン、Ｎ-フェニル-γ-アミノプロピルトリｔ-ブトキシシラン、Ｎ-（２-アミノエチル）-３-アミノプロピルメチルジイソプロポキシシラン、Ｎ-（２-アミノエチル）-３-アミノプロピルメチルジ２-ブトキシシラン、Ｎ-（２-アミノエチル）-３-アミノプロピルメチルジｔ-ブトキシシラン、Ｎ-（２-アミノエチル）-３-アミノプロピルメチルトリイソプロポキシシラン、Ｎ-（２-アミノエチル）-３-アミノプロピルメチルトリ２-ブトキシシラン、Ｎ-（２-アミノエチル）-３-アミノプロピルメチルトリｔ-ブトキシシラン、３-アミノプロピルトリイソプロポキシシラン、３-アミノプロピルトリ２-ブトキシシラン、３-アミノプロピルトリｔ-ブトキシシラン、３-メルカプトプロピルトリイソプロポキシシラン、３-メルカプトプロピルトリ２-ブトキシシラン、３-メルカプトプロピルトリｔ-ブトキシシラン、ビニルトリイソプロポキシシラン、ビニルトリ２-ブトキシシラン、ビニルトリｔ-ブトキシシラン、Ｎ-（２-（ビニルベンジルアミノ）エチル）-３-アミノプロピルトリイソプロポキシシラン塩酸塩、Ｎ-（２-（ビニルベンジルアミノ）エチル）-３-アミノプロピルトリ２-ブトキシシラン塩酸塩、Ｎ-（２-（ビニルベンジルアミノ）エチル）-３-アミノプロピルトリｔ-ブトキシシラン塩酸塩、３-メタクリロキシプロピルトリイソプロポキシシラン、３-メタクリロキシプロピルトリ２-ブトキシシラン、３-メタクリロキシプロピルトリｔ-ブトキシシランなどのシランカップリング剤などが含まれる。これらのシランカップリング剤は２種類以上を混合してもよい。
【００３４】
本発明の封止剤に含まれるシランカップリング剤の第２の態様は、１級アルコキシ基を有するアルコキシシランであるが、例えば以下の一般式（３）、（３’）または（３”）で示される。
【００３５】
【化７】
0005449176.tif 000008
【化８】
0005449176.tif 000009
【００３６】
一般式（３）、（３’）または（３”）において、Ｒ１１〜Ｒ１３はそれぞれ一価の有機基を示すが、そのうちの一つ以上は、一般式（４）で示される基（１級アルコキシ基）である。一般式（４）において、Ｒ１５は水素原子または炭化水素基であり、Ｒ１５が示す炭化水素基は、炭素数１〜４のアルキル基であることが好ましい。また、Ｒ１１〜Ｒ１３で示される有機基であって、一般式（４）で示される基でない有機基は、炭素数１〜４の炭化水素基であることが好ましい。
【００３７】
一般式（３）、（３’）または（３”）で示されるシランカップリング剤は、加水分解により、Ｒ１１ＯＨ、Ｒ１２ＯＨ、またはＲ１３ＯＨを発生させるが、少なくともそのいずれかが１級アルコールである。そこで、封止剤における１級アルコールの発生量や１級アルコール濃度などを低減させるため、アルコールを吸収したり反応させて他の物質としたりする成分と組み合わせて封止剤に含有されることが好ましい。
【００３８】
Ｒ１４、Ｒ１４’およびＲ１４”は、それぞれ一般式（１）におけるＲ４と同様であり、一価の有機基を示すが、ただしオキシ基ではなく、加水分解によりアルコールを発生させない基である。さらにＲ１４、Ｒ１４’およびＲ１４”は、Ｒ４と同様に、有機官能基を有していてもよい。
【００３９】
一般式（３）または（３’）におけるｎは１以上の整数を示すが、通常は１〜５であることが好ましい。ｎが２以上の場合に、２以上存在するＲ１２、Ｒ１４およびＲ１４’は、互いに同一であっても異なっていてもよい。
【００４０】
１級アルコキシ基を有するアルコキシシランの例には、３-グリシドキシプロピルトリメトキシシラン、３-グリシドキシプロピルメチルジメトキシシラン、２-（３,４-エポキシシクロヘキシル）エチルトリメトキシシラン、Ｎ-フェニル-γ-アミノプロピルトリメトキシシラン、Ｎ-（２-アミノエチル）-３-アミノプロピルメチルジメトキシシラン、Ｎ-（２-アミノエチル）-３-アミノプロピルメチルトリメトキシシラン、３-アミノプロピルトリエトキシシラン、３-メルカプトプロピルトリメトキシシラン、ビニルトリメトキシシラン、Ｎ-（２-（ビニルベンジルアミノ）エチル）-３-アミノプロピルトリメトキシシラン塩酸塩、３-メタクリロキシプロピルトリメトキシシランなどのアルコキシシランが含まれる。これらのシランカップリング剤は２種類以上を混合してもよい。
【００４１】
本発明の封止剤は、アルコール、とりわけ１級アルコールを吸収したり、反応させて他の物質とする成分を含有していてもよい。特に、封止剤に１級アルコキシ基を有するアルコキシシランが含まれる場合には、当該成分も含有されることが好ましい。
【００４２】
アルコールを吸収する成分の例には、イソシアネート化合物が含まれる。イソシアネート化合物は、アルコール、特に１級アルコールと容易に反応して、ウレタンを形成する。イソシアネート化合物は、アルキルイソシアネートであっても、アリールイソシアネートであっても、ポリイソシアネートであってもかまわない。
【００４３】
封止剤用樹脂組成物に含まれるイソシアネート化合物は、アルコールとの反応性が高いほうが好ましいので、脂肪族系イソシアネート化合物よりも、芳香族系のイソシアネート化合物（例えば２,６-トリレンジイソシアネート（ＴＤＩ）や、メチレンビス（４,１-フェニレン）＝ジイソシアネート（ＭＤＩ）など）を用いる方が、好ましい場合がある。また、イソシアネート化合物が揮発しないようにすることが好ましいので、高分子量のイソシアネート化合物を用いることが好ましい場合もある。
【００４４】
封止剤用樹脂組成物に含まれるイソシアネート化合物の含量は、シール材に含まれる１級アルコールの量（モル）がわかる場合は、その１〜２倍当量のイソシアネートを添加する。また、シランカップリング剤から１級アルコールが発生する場合には、発生する可能性がある最大量の１〜２倍当量のイソシアネートを添加することが好ましい。
【００４５】
本発明の封止剤は、樹脂成分を含有することが好ましい。樹脂は硬化性樹脂であっても熱可塑性樹脂であってもよく、その両方であってもよい。
【００４６】
硬化性樹脂
硬化性樹脂とは、架橋反応によってポリマー鎖同士が結合して３次元の架橋構造を形成する樹脂をいう。硬化性樹脂の例には、フェノール樹脂，エポキシ樹脂，ユリア樹脂，メラミン樹脂，不飽和ポリエステル樹脂，ポリウレタンなどが含まれる。本発明の封止剤に含まれる硬化性樹脂は、エポキシ樹脂であることが好ましい。
【００４７】
エポキシ樹脂は、分子内に１つ以上のエポキシ基を有する化合物を含有する。エポキシ基を有する化合物は、１官能性エポキシ化合物であっても、２官能性エポキシ化合物であっても、３以上の多官能性エポキシ化合物であってもよい。
【００４８】
１官能性エポキシ化合物の例には、フェニルグリシジルエーテル、２-エチルヘキシルグリシジルエーテル、エチルジエチレングリコールグリシジルエーテル、ジシクロペンタジエングリシジルエーテル、２-ヒドロキシエチルグリシジルエーテルなどが含まれる。
【００４９】
２官能性エポキシ化合物の例には、ハイドロキノンジグリシジルエーテル、レゾルシンジグリシジルエーテル、エチレングリコールジグリシジルエーテル、ポリエチレングリコールジグリシジルエーテル、１,４-ブタンジオールジグリシジルエーテル、１,６-ヘキサンジオールジグリシジルエーテル、シクロヘキサンジオールジグリシジルエーテル、シクロヘキサンジメタノールジグリシジルエーテル、ジシクロペンタジエンジオールジグリシジルエーテル、１,６-ナフタレンジオールジグリシジルエーテル、ビスフェノールＡジグリシジルエーテル、ビスフェノールＦジグリシジルエーテル、水添ビスフェノールＡジグリシジルエーテル、水添ビスフェノールＦジグリシジルエーテルなどが含まれる。
【００５０】
３以上の多官能性エポキシ化合物の例には、トリメチロールプロパントリグリシジルエーテル、ペンタエリスリトールテトラグリシジルエーテル、フェノールノボラック型エポキシ、クレゾールノボラック型エポキシなどが含まれる。
【００５１】
また、エポキシ樹脂は、エポキシ基を有するポリマーまたはオリゴマーを含有していてもよい。エポキシ基を有するポリマーまたはオリゴマーは、特に限定されるわけではないが、エポキシ基を有するビニルモノマーなどを重合して得られる。エポキシ基を有するビニルモノマーの例には、グリシジル（メタ）アクリレート、３,４-エポキシシクロヘキシルメチル（メタ）アクリレート、メチルグリシジル（メタ）アクリレートなどの（メタ）アクリレート系モノマーが好ましい。
【００５２】
エポキシ樹脂は、エポキシ基を有するビニルモノマーと、他のビニルモノマーなどとの共重合ポリマーまたはオリゴマーでもよい。他のビニルモノマーの例には、（メタ）アクリレート類が挙げられる。（メタ）アクリレート類のエステル基は、メチル基、エチル基、イソプロピル基、ノルマルブチル基、イソブチル基、ターシャルブチル基、２−エチルヘキシル基、シクロヘキシル基、ベンジル基、イソボロニル基、ラウリル基、ミリスチル基などの、直鎖構造、分岐構造を問わず、非官能性アルキルエステルが好ましい。さらにエポキシ樹脂は、エポキシ基を有するビニルモノマーと、スチレン、α−メチルスチレン、酢酸ビニルなどとの共重合ポリマーであってもよい。
【００５３】
熱可塑性樹脂
本発明の封止剤に含まれる樹脂は、熱可塑性樹脂であってもよい。封止剤に含まれる熱可塑性樹脂は、例えばポリエチレンテレフタレートや、ポリクロロトリフルオロエチレンなどである。熱可塑性樹脂を含む封止剤は、ガラス膜やガラスシートと組み合わせて用いられてもよい。例えば、特開２００２−２９９０４１号公報に記載されるように、ガラス膜の両面に、本発明の封止剤用樹脂組成物からなる層を形成したフィルムを、封止部材として用いてもよい。
【００５４】
本発明の封止剤は、酸無水物を含んでいてもよい。特に、硬化性樹脂であるエポキシ樹脂と、酸無水物とを含む封止剤用樹脂組成物からは、透明性の高い封止材が得られることがある。芳香族系の酸無水物は着色しているものが多いので、脂肪族系（芳香族系の水添物）の酸無水物が好ましい。封止剤に含まれる酸無水物の例には、無水フタル酸、テトラヒドロ無水フタル酸、メチルテトラヒドロ無水フタル酸、無水トリメリット酸、無水ヘキサクロロエンドメチレンテトラヒドロフタル酸、無水ベンゾフェノンテトラカルボン酸などが含まれる。透明性が高いのは脂肪族系の酸無水物であり、ヘキサヒドロ無水フタル酸、メチルヘキサヒドロ無水フタル酸が用いられる。
【００５５】
硬化性樹脂を含む封止剤には、硬化促進剤が含まれていてもよい。硬化促進剤の種類は特に限定されず、硬化性樹脂の種類に応じて適宜選択すればよい。硬化性樹脂がエポキシ樹脂である場合には、硬化促進剤はイミダゾール化合物やアミン化合物などでありうる。イミダゾール化合物の例には、２-エチル-４-メチルイミダゾールが含まれる。アミン化合物の例には、トリスジメチルアミノメチルフェノールなどが含まれる。
【００５６】
本発明の封止剤の好ましい組成の例は、１００質量部のエポキシ樹脂と、０．１〜１０質量部のシランカップリング剤とを含み、さらに酸無水物を、酸無水基／エポキシ基の当量比が０．８〜１．２となるように含み、かつ硬化促進剤を、活性官能基／エポキシ基の当量比が０．００８〜０．１５２となるように含む。硬化促進剤の活性官能基とは、アミノ基やイミダゾリル基などを意味する。
【００５７】
本発明の封止剤には、任意のフィラーが含まれていてもよい。任意のフィラーの例には、ガラスビーズ、スチレン系ポリマー粒子、メタクリレート系ポリマー粒子、エチレン系ポリマー粒子、プロピレン系ポリマー粒子などが含まれる。
【００５８】
本発明の封止剤は、フィルム状にされていてもよい。有機ＥＬデバイスの封止剤として用いられる場合、一般的には数ミクロンから数十ミクロンの厚みのフィルム状封止剤とする。本発明の封止剤は、それ自身をフィルム状に成形したもののほか、他のフィルムやガラス板、金属箔などの支持体表面に成膜したものでもよい。
【００５９】
２．有機ＥＬデバイス
本発明の有機ＥＬデバイスは、本発明の封止剤を用いて封止されていることを特徴とする。有機ＥＬデバイスとは、一般的には、一対の電極層（アノード電極層とカソード電極層）と、一対の電極層との間に配置される有機発光層と、を少なくとも有する積層型の発光デバイスである。
【００６０】
有機ＥＬデバイスの封止方式は特に限定されない。有機ＥＬデバイスの封止方式の例には、「枠封止」と称される方式と、「面封止」と称される方式とがある。
【００６１】
枠封止とは、基板上に配置された有機ＥＬ素子を封止キャップで覆い、封止キャップの周縁部を封止部材で封止（接着）する方式である。この封止部材を、本発明の封止剤で作製してもよい。一方、面封止とは、基板上に配置された有機ＥＬ素子の上に封止板を配置し、封止板と基板との間、および有機ＥＬ素子と封止板との間に、封止部材を充填する方式である。この封止部材を、本発明の封止剤で作製してもよい。
【００６２】
もちろん、有機ＥＬデバイスの発光面側または非発光面側だけを、本発明の封止部材で封止してもよいし；発光面側および非発光面側の両面を、本発明の封止部材で封止してもよい。
【００６３】
また、本発明の有機ＥＬデバイスは、封止剤を所望の部位に塗布して、それを硬化または重合させて封止部材を作製してもよいし；予め所定の形状（例えばフィルム）にされた封止剤を所望の部位に配置して密着させ、それを硬化または重合させて封止部材を作製してもよい。前記フィルムを配置して密着させるには、熱ラミネートしたり、接着剤で貼り付けたりしてもよい。
【００６４】
一般的に、有機ＥＬデバイスは、水分などによって劣化しやすいことが知られているが、同様に有機系ガスに対しても劣化しやすいことが知られている。本発明者は、１級アルコールガスは、有機ＥＬデバイスを劣化させやすいこと、例えばダークスポットを発生させたり、そもそも発光が生じなくなったりすることがあることがわかった。
【００６５】
ところが一方で、１級アルコール以外のアルコールガス、つまり２級アルコールガスや３級アルコールガスは、１級アルコールと比較して有機ＥＬデバイスを極めて劣化させにくいことを見出した（後述の参考例を参照）。ここで１級アルコールとは、１気圧における沸点（ｂｐ）が１２０℃以下のアルコールでありうる。１２０℃以下のアルコールとは、メタノール（６５℃）、エタノール（７８℃）、１-プロパノール（９７℃）、１-ブタノール（１１７℃）などが含まれる。
【００６６】
本発明の封止剤を重合または硬化させて得られる封止部材は、樹脂の硬化物または重合体と、有機シロキサン化合物とを含み、１級アルコール濃度が極めて低減されていることを特徴とする。有機シロキサン化合物とは、それに含まれるＳｉ原子が、オキシ基以外の有機基と結合しているシロキサン化合物をいう。オキシ基以外の有機基の炭素原子が、Ｓｉ原子と結合していることが好ましい。
【００６７】
本発明の有機ＥＬデバイスの封止部材は、１級アルコール濃度が極めて低減されており、具体的にはヘッドスペースＧＣ−ＭＳ法によって測定される濃度が１０ｐｐｍ以下であることが好ましい。ヘッドスペースＧＣ−ＭＳ法とは、前述の通りである。
【実施例】
【００６８】
３−グリシドキシプロピル−トリイソプロポキシシランの合成
トリクロロシラン（４．６７ｇ，３１ｍｍｏｌ）を、トルエン８０ｍLに溶解し、氷冷下にイソプロピルアルコール（１０．４ｇ，１７０ｍｍｏｌ）をゆっくりと滴下した。滴下終了後、室温で１９時間撹拌した。炭酸ナトリウム２ｇをジイソプロピルエーテル５０ｍLに懸濁させ、その中に反応液をゆっくり滴下した。３時間室温で撹拌後、固体をろ別、トルエン１０ｍLで洗浄してトリイソプロポキシシラン溶液を得た。この溶液は精製することなく次の反応に用いた。【００６９】
得られたトリイソプロポキシシラン溶液に、塩化白金酸２０ｍｇのイソプロピルアルコール３０ｍＬ溶液とアリルグリシジルエーテル（１．６５ｇ，１４．５ｍｍｏｌ）を加え、加熱還流を１８時間行った。反応液を減圧濃縮し、さらに蒸留することで目的の３−グリシドキシプロピル−トリイソプロポキシシランを１．２５ｇ（３．９ｍｍｏｌ）得た。【００７０】
沸点１０６℃／４ｍｍＨｇ
収率１３％
１Ｈ−ＮＭＲ（ＣＤＣｌ３）；δ（ｐｐｍ）４．２０（Ｈｅｐ．、３Ｈ、Ｊ＝６Ｈｚ）、３．６９（ｄｄ、１Ｈ、Ｊ＝３Ｈｚ、１１Ｈｚ）、３．５〜３．３（ｍ、３Ｈ）、３．１５〜３．１（ｍ、１Ｈ）、２．７９（ｄｄ、１Ｈ、Ｊ＝４Ｈｚ、５Ｈｚ）、２．６１（ｄｄ、１Ｈ、Ｊ＝３Ｈｚ、５Ｈｚ）、１．７５〜１．６５（ｍ、２Ｈ）、１．１８（ｄ、１８Ｈ、Ｊ＝６Ｈｚ）、０．６〜０．５５（ｍ、２Ｈ）
純度９４．８％（ＧＣ測定による）【００７１】
【化９】
0005449176.tif 000010
【００７２】
以下に示すエポキシ樹脂と、酸無水物と、３級アミンと、シランカップリング剤とを混合して、表１に示す配合物Ａ、配合物Ｂ、配合物Ｃを得た。【００７３】
【表１】
0005449176.tif 000011
エピクロン８３０Ｓ：  大日本インキ化学工業株式会社リカシッドＭＨ−７００：  新日本理化株式会社ＪＥＲキュア３０１０：  ジャパンエポキレジン株式会社３-グリシドキシプロピルトリメトキシシラン：  ＫＢＭ４０３（信越化学工業株式会社）３-グリシドキシプロピルトリイソプロポキシシラン：  上記合成例【００７４】
［アウトガス分析］
表１の配合物Ａおよび配合物Ｂのそれぞれを、１．０ｇ精秤して、バイアル瓶に封入した。封入した配合物を１００℃にて６０分間加熱した。バイアル瓶内のガスをＧＣ−ＭＳに導入して、ガス成分を検出した。検出されたガスを表２に示す。【００７５】
【表２】
0005449176.tif 000012
ＩＰＡ：イソプロピルアルコール    ＭＩＢＫ：メチルイソブチルケトン【００７６】
上記の通り、配合物Ａからはメタノールが検出され、配合物Ｂからはイソプロピルアルコールが検出された。それぞれシランカップリング剤が発生源と考えられる。【００７７】
［接着試験］
厚み５ｍｍのガラス板を２枚用意した。２枚のガラス板の間に、表１に示された配合物Ａ、配合物Ｂまたは配合物Ｃを封入した。２枚のガラス板同士の隙間は１２μｍであった。得られた積層ガラス板を１００℃３０分間加熱し、封入した配合物を硬化した。得られた接着ガラス板を、６０℃、９０％ＲＨで所定時間保存した。その後、引っ張り速度２ｍｍ／ｍｉｎでガラス板を引き剥がすときの破断強度を測定した。測定された破断強度を、接着面積で除することで、接着強度とした。【００７８】
図１のグラフに、配合物Ａ〜Ｃを用いた場合について、接着強度と保存時間との関係を示す。図１に示されるように、シランカップリング剤を添加しなかった配合物Ｃを用いた場合には、初期（保存時間０時間）の接着強度も低く、かつ保存時間の経過とともに接着強度が低下した。これに対して、シランカップリング剤を添加した配合物Ａおよび配合物Ｂを用いた場合には、初期の接着強度が高く、かつ保存時間が経過しても低下しなかった。また、配合物Ａと配合物Ｂは同等の接着性能を有していた。【００７９】
［劣化試験］
ＩＴＯ膜が成膜されたガラス基板（東京三容真空株式会社、ＩＴＯ付ソーダガラス、１５００Å、ＳＬＲ品）を用意して、ＩＴＯ膜を電極形状にパターニングした。超純水、中性洗剤、アセトン、およびＩＰＡで超音波洗浄し、さらに煮沸ＩＰＡ中から引き上げて乾燥した。さらに、表面をＵＶ／Ｏ３洗浄した後、真空蒸着装置の基板ホルダーに固定した。槽内の圧力を１×１０−８Ｐａ以下にまで減圧した。減圧を維持したまま、下記の膜を形成した。【００８０】
ＩＴＯ電極面に、銅フタロシアニン（ＣｕＰＣ）の蒸着膜（厚さ１００Å）を形成して、ホール注入層とした。ホール注入層に、４,４'-ビス（Ｎ-（１-ナフチル）-Ｎ-フェニルアミノ）ビフェニル（ＮＰＤ）の蒸着膜（厚さ５００Å）を形成して、ホール輸送層とした。ホール輸送層に、トリス（８-キノリノラト）アルミニウム（Ａｌｑ３）の蒸着膜（厚さ６５０Å）を形成して、電子注入輸送・発光層とした。電子注入輸送・発光層に、フッ化リチウム（ＬｉＦ）の膜（５Å）を形成し、電子注入電極とした。電子注入電極面に、アルミニウム（Ａｌ）の蒸着膜（８００Å）を形成して、保護電極とした。【００８１】
作製した有機電界発光素子を、大気に触れさせることなく、蒸着装置から窒素雰囲気下のグローブボックス内に移送した。グローブボックス内にて、図２に示されるように、有機電界発光素子１をアルミニウム製の容器２の内部に配置して、容器を密閉した。アルミニウム製の容器２内に配置された有機電界発光素子１の各接触端子は電気接続され、その通電状態を外部制御することができる。密閉されたアルミニウム製の容器２を、グローブボックスから取り出した。【００８２】
容器のセプタムから、表１の配合物Ａまたは配合物Ｂを１ｇ注入した。注入された配合物は、加熱することにより硬化させた。その後、容器内に配置された有機電界発光素子を、３００時間、定電流駆動（１２５ｍＡ／ｃｍ２）させ、輝度検出手段４で発光部の発光状態を観察した。ダークスポットの発生が確認された場合を×；ダークスポットの発生が確認されなかった場合を○と評価した。図３Ａは、配合物Ａを注入した場合の有機電界発光素子の発光状態を示し；図３Ｂは、配合物Ｂを注入した場合の有機電界発光素子の発光状態を示す。【００８３】
【表３】
0005449176.tif 000013
【００８４】
［参考例］
前述の劣化試験と同様に、有機電界発光素子を作製し、アルミニウム製の容器２（図２参照）の内部に配置して、容器を密閉した。容器のセプタムから、マイクロシリンジ３で各種アルコール（３０μｌ）を注入した。アルコールを注入直後、容器内に配置された有機電界発光素子を、４８時間、定電流駆動（１２５ｍＡ／ｃｍ２）させて、輝度検出手段４で発光部の発光状態を観察した。ダークスポットの発生が確認された場合を×；ダークスポットの発生が確認されなかった場合を○と評価した。【００８５】
【表４】
0005449176.tif 000014
【００８６】
【表５】
0005449176.tif 000015
【００８７】
表４に示されたように、２級アルコールである２-プロパノールや２-ブタノール、および３級アルコールであるｔ-ブタノールを注入した場合には、ダークスポットの発生が確認されず、発光状態の劣化がおこらなかった。一方、表５に示されたように、１級アルコールであるメタノール、エタノール、ｎ-プロパノール、ｎ-ブタノールを注入した場合には、発光状態の劣化が見られた。【００８８】
したがって、１級アルコールガスの発生が抑制された封止部材を有する有機ＥＬデバイスは、高寿命となることがわかる。
【産業上の利用可能性】
【００８９】
本発明の封止部材により、高寿命な有機ＥＬデバイスが提供される。【００９０】
本出願は、２００８年９月２９日出願の出願番号ＪＰ２００８−２５０５９８に基づく優先権を主張する。当該出願明細書および図面に記載された内容は、すべて本願に援用される。
【符号の説明】
【００９１】
１  有機電界発光素子
２  アルミニウム製の容器
３  マイクロシリンジ
４  輝度検出手段
【図１】
0005449176.tif 000018
【図２】
0005449176.tif 000019
【図３】
0005449176.tif 000020